(57)【特許請求の範囲】
【請求項１】
紙基材を折り曲げて屋根型形状の頂面と底面と複数側面から成る紙容器本体の、屋根型形状の前記頂面の傾斜面に設けられる開封再栓装置であって、
前記開封再栓装置は前記頂面に形成された内容液注出用の開口予定部を覆って前記頂面に固着される断面円形でエルボ状の外筒部と、
前記外筒部の内面を摺動する断面円形のエルボ状の内筒部と、
前記内筒部の一端部の周縁部を開閉自在に覆う蓋部と、
前記内筒部の他端部に前記開口予定部を破断する破断刃とを備え、
前記外筒部と前記内筒部は、屋根型形状の前記頂面の前記傾斜面の上方側に向かって湾曲するエルボ状であり、
前記内筒部と前記蓋部はヒンジを介して連結され、
前記破断刃は、前記ヒンジの近傍領域には形成されていない
ことを特徴とする紙容器の開封再栓装置。
【発明の詳細な説明】
【技術分野】
【０００１】
本発明は内容液を充填する紙容器の再封性開封装置に関し、詳しくは紙容器を開封して液体食品を注出し、且つ簡易的に再封できるコストの安い再封性開封装置に関する。
【背景技術】
【０００２】
従来、内容液が略1リットルを超えるような大型の紙容器は一度開封すると内容液を使い切るか或いは別の容器に内容液を移す必要があるので、その目的に沿った開封再栓装置が求められていた。これを解決する紙容器の開封再栓装置に関する従来技術として特許文献１、２に掲載の内容が知られている。以下に特許文献１を用いてその説明をする。
【０００３】
図８に示すように、開封再栓装置２１は、封止用フィルム２４で閉塞された紙容器の頂面２２の開口部２２Ａの周縁部に沿ってベース部２５が接着され、このベース部２５にリテーナ２６が内螺合され、リテーナ２６の上部にスクリューキャップ２７が外螺合される。リテーナ２６の内面は頂面２２に対して垂直な円筒形で下端には封止用フィルム２４を突き破るための尖端部２６Ｃが形成され、リテーナ２６とスクリューキャップ２７は溶着部２８にてスポット溶接される。
【０００４】
スクリューキャップ２７を取り外す方向Ｆに回転すると、キャップ２７とリテーナ２６が一体となりベース部２５内を下降して封止用フィルム２４を破る。さらに、溶着部２８を破断してキャップ２７が容易に外れる。紙容器はキャップ２７で再栓できる。
【先行技術文献】
【特許文献】
【０００５】
【特許文献１】特開平１１−３４９０２４号公報
【特許文献２】特開２００１−１０６２４８号公報
【発明の概要】
【発明が解決しようとする課題】
【０００６】
従来の開封再栓装置２１は螺合構造が複雑でコストが高い。さらに、図９に示すように、この開封再栓装置２１を屋根型の紙容器３０に取付けた場合に、キャップ２７を取外して内容液Ｗをリテーナ２６から注出する際に、リテーナ２６の端部Ｙに達した内容液Ｗ１が、稀に、リテーナ２６から内容液Ｗ２が不用意にこぼれることがあるという問題があった。
【０００７】
そこで、本発明はかかる従来技術の問題に鑑みなされたものであって、簡単な構造で開封及び再栓が容易でコストが安く内容液がこぼれにくい紙容器の開封再栓装置を提供することを目的とする。
【課題を解決するための手段】
【０００８】
請求項１の発明は、紙基材を折り曲げて屋根型形状の頂面と底面と複数側面から成る紙容器本体の、屋根型形状の前記頂面の傾斜面に設けられる開封再栓装置であって、前記開封再栓装置は前記頂面に形成された内容液注出用の開口予定部を覆って前記頂面に固着される断面円形でエルボ状の外筒部と、前記外筒部の内面を摺動する断面円形のエルボ状の内筒部と、前記内筒部の一端部の周縁部を開閉自在に覆う蓋部と、前記内筒部の他端部に前記開口予定部を破断する破断刃とを備え、前記外筒部と前記内筒部は、屋根型形状の前記頂面の前記傾斜面の上方側に向かって湾曲するエルボ状であり、前記内筒部と前記蓋部はヒンジを介して連結され、前記破断刃は、前記ヒンジの近傍領域には形成されていない  ことを特徴としている。
【発明の効果】
【００１１】
請求項１の発明によれば、前記開封再栓装置は前記頂面に形成された内容液注出用の開口予定部を覆って前記頂面に固着される断面円形でエルボ状の外筒部とエルボ状の内筒部とから成る簡単な構造なので製作コストが安い。そして、内筒部が外筒部の内面を摺動するだけで前記内筒部の他端部に備える破断刃によって前記開口予定部を容易に破断できて、開封した開口予定部から内容液を容易且つスムーズに注出することができる。また、内容液の注出を中断する場合は蓋部で前記内筒部の一端部を覆うことにより開口部を容易に簡易再封できるので紙容器の利便性と品質性が向上する。前記蓋部は前記内筒部にヒンジを介して連結されるので、前記蓋部はこのヒンジによって安定して前記内筒部の一端部を開閉することができる。また、前記蓋部を紛失することがなく、前記蓋部はワンタッチで容易に開閉できて簡易密封されるので確実に再栓効果が得られる。前記頂面は傾斜面で、前記外筒部と前記内筒部は前記傾斜面の上方側に向かって湾曲するエルボ状であるので、内容液を注出する際にエルボ状の内筒部は傾斜面の上方側に向かって湾曲して開口する状態である。このため、内筒部が円筒形状で傾斜面に垂直に設けられる場合に比べると内容液がこぼれ難いので使い勝手が良くなり紙容器としての品質性が向上する。前記破断刃は前記ヒンジの近傍領域には形成されていないので、破断片がつながったままとなる。
【図面の簡単な説明】
【００１４】
【図１】本発明の実施形態における、屋根型の紙容器本体１ａの開口予定部５を覆って開封再栓装置６を取付けた状態を示す紙容器１の斜視図である。
【図２】本発明の実施形態における、図１のＡ−Ａ断面図で、開封再栓装置６の断面形状を示す図である。
【図３】本発明の実施形態における、図２の開口予定部５の状態を示す詳細断面図である。
【図４】本発明の実施形態における、紙容器１を開封するため開封再栓装置６の蓋部９を介して内筒部８を押込んで開口予定部５を開封した状態を示す斜視図である。
【図５】本発明の実施形態における、図４のＢ−Ｂ断面図で、開封再栓装置６の開口予定部５が開封した状態を示す斜視図である。
【図６】本発明の実施形態における、開口予定部５を開封した後に蓋９を開放して、注出口である内筒部８から内容液Ｑを注出するために紙容器１を傾ける状態を示す斜視図である。
【図７】本発明の実施形態における、内筒部８の一端部８ａからから内容液Ｑを注出する状態を示す断面図である。
【図８】従来例における、封止用フィルム２４で閉塞された開口部２２Ａに沿ってベース部２５が固着され、このベース部２５に内螺合されたリテーナ２６の上部にスクリューキャップ２７を外螺合して成る開封再栓装置２１の状態を示す断面図である。
【図９】従来例における、屋根型の紙容器本体３０の開口部２２Ａを覆って開封再栓装置２１を取付けた状態を示す断面図である。
【発明を実施するための形態】
【００１５】
以下に、本発明の実施形態を図１〜図７に基づいて説明する。
【００１６】
＜紙容器の開封再栓装置の構成＞
図１、図２に示すように、紙容器１は包装材Ｐを折り曲げて、頂面２と、矩形の底面３と四側面４（正面４ａ、裏面４ｂ、側面４ｃ、側面４ｄ）で紙容器本体１ａを形成する。頂面２は屋根型形状で正面４ａ側の頂面２ａにジュース等の内容液Ｑを注出するための円形の開口予定部５が形成され、この開口予定部５を覆って同芯状に開封再栓装置６を取付ける。
【００１７】
開封再栓装置６は頂面２ａにフランジ７ａを介して固着される断面円形のエルボ状の外筒部７と、この外筒部７の内面７ｂを摺動する断面円形のエルボ状の内筒部８から成る。そして、内筒部８の一端部８ａの周縁部を開閉自在に覆う蓋部９を備え、蓋部９の内面９ａに形成された凹状部９ｂに内筒部８の一端部８ａが着脱自在に収納される。内筒部８の他端部８ｂは開口予定部５を破断する鋸刃状の破断刃１０を備え、この他端部８ｂは開口予定部５と同じ直径Ｇの円形である。開封再栓装置６は樹脂材で射出成型される。
【００１８】
なお、内筒部８と蓋部９は薄肉板状のヒンジ１１を介して開閉自在に連結され、このヒンジ１１は頂面２ａの傾斜面の上方側に設けられる。蓋部９におけるヒンジ１１の対面側には、指を用いて蓋部９を開閉容易とするための突起９ｃを備える。
【００１９】
開封再栓装置６を紙容器本体１ａの頂面２ａに取付ける方法は、図示しない装置でフランジ部７ｄの裏面をマイクロフレーム等で溶融し、頂面２ａの開口予定部５に芯合わせして固着する。
【００２０】
外筒部７と内筒部８、内筒部８と蓋部９の間には、スポット溶着等によるいたずら防止の図示しないロック機構を設け、このロック機構は手動による外力で容易に破断してロック解除できる。
【００２１】
図３に示すように、包装材Ｐの構成は、外側から内側にかけて順に、外側層Ｐ１、紙基材Ｐ２、接着層Ｐ３、バリヤー層Ｐ４、二層の内側層Ｐ５から成り、紙基材Ｐ２の外側面に予めデザイン等Ｐ６が印刷される。外側層Ｐ１、内側層Ｐ５は低密度ポリエチレン樹脂、接着層Ｐ３はポリエチレン或いはエチレン共重合体等の樹脂、バリヤー層Ｐ４はアルミ箔等で形成される。そして、開口予定部５は開口容易とするために紙基材Ｐ２が直径Ｇの円形状に切り抜かれた状態のプレラミネーテッドホール（ＰＬＨ）である。
【００２２】
＜紙容器の開封再栓装置の作用＞
図４、図５に示すように、紙容器１を開封するために開封再栓装置６の蓋部９を指で押込むと、図示しないロック機構が外れるので内筒部８は外筒部７の内面７ｂを摺動しながら回転下降する。そして、他端部８ｂの開口断面に開口予定部５と同径Ｇの円形状で鋸刃状の破断刃１０を備えるので、開口予定部５は破断刃１０によって容易に破断して開口５ａを形成することができる。内筒部８は下降した位置で外筒部７に隙間なく簡易水密状態で密着する。
【００２３】
なお、破断刃１０はヒンジ１１の近傍領域には形成されないので開口予定部５はヒンジ１１近傍の一部が頂面２ａに連結したままの状態で全周破断しない。このため、開口予定部５のバリヤー層Ｐ４と、二層の内側層Ｐ５とから成る破断片５ｂは紙容器１の内部に落下しないので飲用時に誤って口内に紛れ込むことを防止できる。
【００２４】
図６、図７に示すように、内筒部８はエルボ状の曲面なので、蓋９を開いて紙容器１を傾けると一端部８ａの内側端Ｋから内容液Ｑが注出する。ここで、内側端Ｋは、開口５ａにおける内筒部８の内側位置Ｋ１から頂面２ａに垂直な垂直線Ｔに対して長さＳだけ内筒部８の内側に位置する。
【００２５】
一方、従来の開封再栓装置の場合は頂面２ａに垂直な円筒形状から内容液Ｑを注出するので注出位置は垂直線Ｔ上である。
【００２６】
このように、本発明の開封再栓装置６によれば、内筒部８の注出位置としての内側端Ｋは、開口５ａにおける内側位置Ｋ１から内部側に長さＳだけ頂面２ａと平行に移動した位置になるので、従来の垂直線Ｔ上に注出位置がある場合と比べると内容液がこぼれ難くなるため使いやすく衛生性に優れる。開封再栓装置６はエルボ状の外筒部７とエルボ状の内筒部８とから成る簡単な構造なので製作コストが安い。所望の内容液Ｑを注出した後に蓋部９を閉じて図４、図５の状態に戻すことにより開口部を塞いで簡易再封することができるので紙容器の利便性と品質性が向上する。
【００２７】
以上、本発明の実施例を図面に基づいて説明したが、具体的な構成はこの実施例に限られるものではなく本発明の要旨を逸脱しない範囲の設計変更等があっても本発明に含まれる。蓋部９はヒンジ１１を用いないで内筒部８に自由に着脱可能とする方法でも構わない。開封再栓装置６は頂面２ａが屋根状でなく水平の場合でも適用できる。
【産業上の利用可能性】
【００２８】
この発明は、液体食品の包装充填の製造に適用することができる。
【符号の説明】
【００２９】
１  紙容器
２ａ  頂面
５  開口予定部
６  開封再栓装置
７  外筒部
７ｂ  内面
８  内筒部
８ａ  一端部
８ｂ  他端部
９  蓋部
１０  破断刃
Ｋ  内側端
Ｋ１  内側位置
Ｓ  長さ
Ｔ  垂直線
【図１】
0005626789.tif 000002
【図２】
0005626789.tif 000003
【図３】
0005626789.tif 000004
【図４】
0005626789.tif 000005
【図５】
0005626789.tif 000006
【図６】
0005626789.tif 000007
【図７】
0005626789.tif 000008
【図８】
0005626789.tif 000009
【図９】
0005626789.tif 000010